(57)【要約】【課題】風発生装置のモータへの負担を軽減し、効率よく身体を冷却することができる冷却衣服を提供することを目的とする。【解決手段】本発明の冷却衣服１は、空気取込口と、内側に冷却風を送出する空気送出口とを有し、取付け孔に装着される風発生装置２を備える。そして、この冷却衣服は、風発生装置２よりも上側にボックスプリーツ４を備え、空気送出口から冷却風が送出されたときに、ボックスプリーツ４が外側に拡がる。【選択図】図１
2018009264.tif 000002
【特許請求の範囲】
【請求項１】
空気取込口と、内側に冷却風を送出する空気送出口とを有する風発生手段が、取付け孔に装着される冷却衣服において、
前記空気送出口から送出された冷却風によって外側に拡がり、前記風発生手段よりも上側に形成された折り畳み部を備える、
ことを特徴とする冷却衣服。
【請求項２】
前記風発生手段は、前記取付け孔に対して、斜め下方向に５°〜３５°傾斜して装着され、
前記風発生手段を作動させたときに、前記風発生手段の斜め下方向から前記空気取込口を介して空気が取り込まれ、前記風発生手段の斜め上方向に前記空気送出口を介して、使用者に向けて冷却風が送出される、
ことを特徴とする請求項１に記載の冷却衣服。
【請求項３】
前記風発生手段が前記取付け孔に回転可能に取り付けられ、
前記風発生手段を回転させたときに、
前記空気取込口を介して取り込まれる前記空気の方向が変更されると共に、
前記空気送出口を介して送出される前記冷却風の方向が変更される、
ことを特徴とする請求項２に記載の冷却衣服。
【請求項４】
前記折り畳み部が、ボックスプリーツであり、
このボックスプリーツは、着丈方向に形成されている、
ことを特徴とする請求項１から請求項３の何れか１項に記載の冷却衣服。
【請求項５】
前記風発生装置は、腰部に設けられ、
前記折り畳み部が、少なくとも背中部又は襟部に形成された、
ことを特徴とする請求項１から請求項４の何れか１項に記載の冷却衣服。
【請求項６】
着脱可能な袖部を備える、
ことを特徴とする請求項１から請求項５のいずれか１項に記載の冷却衣服。
【請求項７】
両側の肩部分に、パッドが備えられている、
ことを特徴とする請求項１から請求項６の何れか１項に記載の冷却衣服。
【発明の詳細な説明】
【技術分野】
【０００１】
本発明は、使用者の身体を効率的に冷却する冷却衣服に関するものである。
【背景技術】
【０００２】
鉄工所や夏の屋外の工事現場のような、高温環境下で作業する場合、体温の上昇を抑制することが必要となる。
しかし、このような環境では、安全性や機能性の面から、生地が厚い衣服が着用されている。高温環境下で長時間の作業を行う場合、体外に熱を充分に放出することができないため、過度の体温上昇を引き起こして熱中症に陥るおそれがある。
【０００３】
このような環境で作業する時に着用する衣服として、従来から、冷却衣服が使用されている。例えば、ファンによって風を発生させる平行風発生装置（風発生装置）を備えた冷却衣服が提案されている（特許文献１）。この平行風発生装置は、衣服の表面よりも内側に取り付けられており、空気を取り込む方向に形成されている底部と取り込んだ空気を排出する空気送出口（平行風送出部）が形成されている側部とからなる内部ファンガードを有している。平行風発生装置は、取り込んだ空気を底部に衝突させ、空気送出口から略側面方向に空気（以下、冷却風と記す。）を送出する。そのため、平行風発生装置は、外部の空気を取り込み、冷却衣服と下着又は体との間に平行な冷却風の流れを発生させることができる。また、内部ファンガードにおいて、空気送出口は同じ大きさで等間隔に形成されているため、平行風発生装置は、その周囲に同量（同じ風速）の空気を均一に排出する。
このように、冷却衣服と下着等の間に平行な冷却風が流れることで、汗の蒸発による人体の生理的冷却機能の有効範囲を大幅に拡大される。そのため、冷却衣服を着用することで、高温環境下であっても、過度な体温上昇を防止することができる。
【先行技術文献】
【特許文献】
【０００４】
【特許文献１】特許第４３２９１１８号公報
【発明の概要】
【発明が解決しようとする課題】
【０００５】
冷却衣服においては、冷却衣服の内部に取り込んだ冷却風を冷却衣服の襟元や袖口の隙間から外部に流出させることで、内部の冷却風の循環を向上させ、体温が上昇することを抑制する。
しかし、着用者の体勢や冷却衣服の使用の態様によって、袖口や襟元の隙間が閉じられ、冷却風が冷却衣服の内部に一時的に滞留する。そうすると、冷却衣服の内部が加圧状態となるため、モータへの負担が大きくなり、結果としてモータの温度が上昇する。モータの温度が上昇すると、外部の空気よりも高い温度の冷却風が冷却衣服の内部に送出されるため、冷却衣服が身体を冷却する機能を低下させるおそれがある。
また、着用者が、例えば屋外で作業する場合、冷却衣服の生地が熱を吸収し、その生地の温度が上昇する。そのため、冷却風は、汗の蒸発による人体の生理的冷却機能を向上させるだけではなく、冷却衣服の生地に吸収された熱を取り除く、つまり、冷却衣服自体の温度を低下させることが望まれている。
【０００６】
さらに、冷却衣服において、冷却衣服の内部に送出された冷却風は、効率よく冷却衣服の外部に流出されることが望ましい。
しかし、特許文献１の冷却衣服では、平行風発生装置の周囲に均一に冷却風が送出されるため、冷却衣服の下方向に流れる冷却風は裾にぶつかり、外部に排出されず、滞留してしまう。そのため、冷却風を効率的に利用することができない問題がある。
身体に対して平行な冷却風の流れを発生させた場合、冷却風の流れは身体の表面に境界層を形成することが知られている。この境界層が形成されると、身体の表面を流れる冷却風の風速が著しく低下し、冷却風と身体との間で効率よく熱交換することができない。
【０００７】
そこで、本発明は、風発生装置のモータへの負担を軽減し、効率よく身体を冷却することができる冷却衣服を提供することを目的とする。
【課題を解決するための手段】
【０００８】
本発明の冷却衣服では、空気取込口と、内側に冷却風を送出する空気送出口とを有する風発生手段が取付け孔に装着される。そして、冷却衣服は、空気送出口から送出された冷却風によって外側に拡がり、かつ風発生手段よりも上側に形成された折り畳み部を備えることを特徴とする。
【０００９】
本発明の冷却衣服では、風発生手段が、取付け孔に対して斜め下方向に５°〜３５°傾斜して装着され、風発生手段を作動させたときに、風発生手段の斜め下方向から空気取込口を介して空気が取り込まれ、風発生手段の斜め上方向に空気送出口を介して、使用者に向けて冷却風が送風されることを特徴とする。
【００１０】
本発明の冷却衣服は、風発生手段が取付け孔に回転可能に取り付けられ、風発生手段を回転させたときに、空気取込口を介して取り込まれる空気の方向が変更されると共に、空気送出口を介して送出される冷却風の方向が変更されることを特徴とする。
【００１１】
本発明の冷却衣服は、折り畳み部がボックスプリーツであり、このボックスプリーツは、着丈方向に形成されていることを特徴とする。
【００１２】
本発明の冷却衣服は、風発生装置が腰部に設けられ、折り畳み部が少なくとも背中部又は襟部に形成されていることを特徴とする。
【００１３】
本発明の冷却衣服は、着脱可能な袖部を備えていることを特徴とする。
さらに、本発明の冷却衣服は、両側の肩部分にパッドが備えられていることを特徴とする。
【発明の効果】
【００１４】
本発明の冷却衣服は、風発生手段よりも上側に折り畳み部を備え、冷却風が冷却衣服の内部の上方向に送出され、外部に排出されづらい場合、折り畳み部が外側に拡がる。そのため、冷却風が外部に排出されづらい場合、冷却衣服の内部が加圧状態となり、冷却衣服の内部に冷却風が貯留される領域が形成される。そうすると、冷却風が貯留される領域が形成されない場合と比べ、冷却衣服の内部の加圧状態が緩和される。そのため、風発生手段のモータへの負担を軽減でき、モータから発生する熱量が低減され、冷却風の温度が上昇することを防止できる。
さらに、貯留された冷却風は、冷却衣服を構成する生地の熱と熱交換し、その熱を外部に排出する。そのため、汗を蒸発させる機能に加え、冷却衣服の生地の温度も低下させることができ、さらに効率よく身体を冷却することができる。
【００１５】
また、本発明の冷却衣服では、風発生手段を、取付け孔に対して斜め下方向に５°〜３５°傾斜させて装着することで、風発生手段の斜め下方向から空気取込口を介して空気が取り込まれ、風発生手段の斜め上方向に空気送出口を介して、使用者に向けて冷却風を送出することができる。そうすると、冷却衣服の上方向、つまり襟元や袖口に向けて多量の冷却風を流すことができるため、風発生手段よりも下側に滞留する冷却風を減少させることができることに加え、冷却風は、境界層を形成せず、直接身体または下着に接しながら流れるため、冷却風と身体は熱交換をしやすくなり、効率よく身体を冷却することができる。
【００１６】
本発明の冷却衣服において、折り畳み部をボックスプリーツとして形成し、このボックスプリーツは着丈方向に形成されている。このボックスプリーツにより、襟元や袖口に冷却風を誘導することができ、冷却風を円滑に外部に排出できる。そうすると、冷却風が排出される循環が良くなり、身体を効率よく冷却できる。
また、ボックスプリーツとして形成することで、外側に拡がらない場合でも、冷却衣服の外観を損ねることなく、意匠性を維持できる。
【００１７】
本発明の冷却衣服は、着脱可能な袖部を取り付けることができる。そのため、冷却衣服は、半袖又は長袖として使用できる。さらに、本発明の冷却衣服、両肩部分にパッドを取り付けることができる。パッドを設けることで、作業者が肩に部材を載せて作業する場合、肩部分へかかる負担を軽減できる。
【図面の簡単な説明】
【００１８】
【図１】本発明の実施形態に係る冷却衣服の背面図である。
【図２】本発明の実施形態に係る冷却衣服を着用した状態における、風発生手段の断面図である。
【図３】本発明の実施形態に係る冷却衣服の風発生手段から送出される冷却風の流れを説明するための図である。
【図４】本発明の実施形態に係る冷却衣服の背中部分に設けた折り畳み部の拡がりを説明するための図である（図１中のＡ-Ａ断面図）。
【図５】本発明の実施形態に係る冷却衣服の襟部分に設けた折り畳み部の拡がりを説明するための図である（図１中のＢ-Ｂ断面図）。
【図６】本発明の実施形態の変形例１に係る冷却衣服の内部における冷却風の流れを説明するための図である。
【図７】本発明の実施形態の変形例１に係る冷却衣服の内部における冷却風の流れを説明するための図である。
【図８】本発明の実施形態の変形例２に係る任意の角度に設定可能な形状の風発生手段の断面図である。
【発明を実施するための形態】
【００１９】
本実施形態に係る冷却衣服１を、図１〜図５を参照し、説明する。
冷却衣服１は、図１に示すように、取付け孔３に装着される風発生手段としての風発生装置２と、風発生装置２よりも上側に折り畳み部としてのボックスプリーツ４を備えている。また、冷却衣服１は、着脱可能である袖部７と、両肩部分にパッド８を備えている。
この冷却衣服１は、使用者が直接着用し、または下着を着用した上から着用する。本実施形態では、使用者が冷却衣服１を直接着用した場合について説明する。
なお、図面上、裾口幅の方向を幅方向Ｘ、幅方向Ｘと直交する着丈方向を高さ方向Ｙとする。
【００２０】
［ボックスプリーツ４］
本実施形態の冷却衣服１において、風発生装置２（取付け孔３）よりも上側にボックスプリーツ４が設けられていることが、大きな特徴部分である。
ボックスプリーツ４は、胴体の背中部から肩部にかけて形成された一対の背中ボックスプリーツ５、および胴体の肩部から襟部にかけて形成された一対の襟ボックスプリーツ６からなる。
このボックスプリーツ４は、ヒダ山が幅方向Ｘの外側に折られ、裏のヒダ山の折り目が突合せになっている。
【００２１】
背中ボックスプリーツ５は、腰部分から肩部分にかけて形成されている。
背中ボックスプリーツ５は、幅方向Ｘにおいて、取付け孔３よりも内側に形成されている。ここで、冷却衣服１を幅方向Ｘに２等分する線を中心線Ｌとすると、背中ボックスプリーツ５は、中心線Ｌを軸として、対称に形成されている。この背中ボックスプリーツ５は、高さ方向Ｙに、直線状に形成され、互いに略平行に形成されている。
この背中ボックスプリーツ５の上端は、上側縫合部２２によって縫合され、一方、下端は下側縫合部２３によって縫合されている。この上側縫合部２２および下側縫合部２３は、幅方向Ｘにそれぞれ形成されている。
また、背中ボックスプリーツ５の幅方向Ｘの長さＬ１は、３ｃｍに設計されている。この長さＬ１は、３ｃｍに限定されず、外観上の点から２ｃｍから５ｃｍが好ましい。
さらに、背中ボックスプリーツ５は、後述する領域Ａ１の体積が１０００ｃｍ3から３０００ｃｍ3の範囲となるように形成されている。なお、服のサイズや用途等に応じて、上記の体積を変更することができる。
【００２２】
襟ボックスプリーツ６は、肩部から襟元にかけて形成されている。この襟ボックスプリーツ６は、幅方向Ｘにおいて、背中ボックスプリーツ５よりも内側に形成され、中心線Ｌを軸として、対称に形成されている。そして、襟ボックスプリーツ６は、高さ方向Ｙに、直線状に形成され、互いに略平行に形成されている。
襟ボックスプリーツ６の下端は、上側縫合部２２によって縫合されている。
また、襟ボックスプリーツ６の幅方向Ｘの長さＬ２は、１．５ｃｍに設計されている。この長さＬ２は、１．５ｃｍに限定されず、外観上の点から１ｃｍから３ｃｍが好ましい。
さらに、襟ボックスプリーツ６は、後述する領域Ａ２の体積が２５０ｃｍ3から７５０ｃｍ3の範囲となるように形成されている。なお、服のサイズや用途等に応じて、上記の体積を変更することができる。
【００２３】
袖部７は、接続部２４によって、冷却衣服１に着脱可能に設けられている。この接続部２４には、例えば、チャック（ジッパー）を使用することができる。
パッド８は、冷却衣服１の両肩部分に１つずつ設けられている。パッド８には、クッション性の高い材料を使用する。
【００２４】
［風発生装置２］
風発生装置２は、冷却衣服１の胴体の腰部に形成された取付け孔３に装着されている。
この取付け孔３は、中心線Ｌを軸として、幅方向Ｘに対称に形成されている。そのため、風発生装置２は、中心線Ｌを対称軸として、幅方向Ｘに１つずつ設けられている。
この風発生装置２は、図２に示すように、冷却衣服１の外部から空気を取り込むための空気取込口１１と、冷却衣服１の内部に冷却風を送出するための空気送出口１２と、空気取込口１１が形成されている外側ファンガード１３と、空気送出口１２が形成されている内側ファンガード１４と、冷却衣服１の外部の空気を取込み、冷却衣服１の内部に冷却風を送出する軸流ファン１５、軸流ファン１５を駆動させ、使用者の身体９の側で軸流ファン１５を支持するモータ１６と、モータ１６を覆うキャップ１７とを備えている。
この風発生装置２は、環状の固定リング１８を使用し、取付け孔３に対して、斜め下方向に所定の角度だけ傾斜させて、取付け孔３に装着されている。そのため、風発生装置２は、その上端部２５が外側に突出し、かつその下端部２６が冷却衣服１の内側に配置されている。なお、所定の角度については、後述する。
【００２５】
外側ファンガード１３は、有底円筒状を有し、その側面が内側ファンガード１４に嵌め合わされる。外側ファンガード１３の前面には、空気取込口１１が複数形成されている。内側ファンガード１４は、ドーム型のカバー部２０と円環部２１を有する有底円筒状をしている。また、内側ファンガード１４の側面には、フランジ１９が、内側ファンガード１４と一体として形成されている。このフランジ１９は、円環部２１に対して斜めに形成されている。カバー部２０には、空気送出口１２が複数形成されている。この空気送出口１２は、空気取込口１１の位置と対向する位置に形成されている。
風発生装置２を、取付け孔３に対して斜め下方向に所定の角度だけ傾斜させて装着することで、空気取込口１１は取付け孔３に対して斜め下方向に所定の角度だけ傾斜している。そのため、風発生装置２は、軸流ファン１５を回転させることで、斜め下方向から外部の空気を取り込み、その空気は軸流ファン１５の軸方向に沿って斜め上方向に移動し、空気送出口１２から身体９に向けて冷却風として送出される。
【００２６】
次に、風発生装置２を取付け孔３に対して装着する角度について説明する。
使用者が冷却衣服１を着用すると、冷却衣服１と身体９の間に形成される流路３０が形成され、風発生装置２を稼働させると、風発生装置２から送出された冷却風は、流路３０を移動し、襟元および袖口の隙間から外部に流出される。
そのため、風発生装置２から送出された冷却風を襟元や袖口に効率的に流すことで、効率的に身体９を効率的に冷却される。
【００２７】
本実施形態では、風発生装置２の取付け孔３に対する設置角度を変化させ、図２に示すように、所定の地点での風速を測定した。
軸流ファン１６の中心と対象物が垂直に交差する点をＡ点とし、Ａ点から図２の上側に１５０ｍｍ離れた地点をＢ点、Ａ点から下側に１５０ｍｍ離れた地点をＣ点とし、風発生装置２（空気取込口１１）の設置角度と、Ｂ点およびＣ点での風速の関係を調べた。風速測定は、風発生装置２の設置角度を５°毎に変更して行った（表１）。また、比較例として、風発生装置２を対象物に対し傾斜させずに、かつ、カバー部２０の先端部分を対象物に接するように配置し、対象物に対して平行に送風した場合のＢ点およびＣ点の風速を測定した。比較例の風発生装置２は、カバー部２０の風が取り込まれる正面には、空気送出口１２が設けられていない構造となっている。なお、符号Ｆは、空気の流れを示している。
【００２８】
【表１】
2018009264.tif 000003
【００２９】
風発生装置２の設置角度を大きくするにしたがい、Ｂ点における風速が大きくなり、それに伴い、Ｃ点での風速が小さくなる。設置角度が３５°より大きくなると、Ｂ点およびＣ点での風速は、設置角度３５°の場合の風速とほぼ変わらなくなることが分かった。この結果から、設置角度が５ー〜３５ーの範囲でＢ点およびＣ点における風速に優位差をつけることができることが分かった。また、比較例の測定結果と比べると、風発生装置２を設置する角度を変化させた場合の方が、Ｂ点において風速が大きくなることが分かった。例えば、風発生装置２の設置角度が２０ーの場合、比較例の場合と比べて、Ｂ点の風速は約１．５倍となった。
【００３０】
次に、冷却衣服１の作用効果について、説明する。
冷却衣服１を着用した使用者が作業する際、襟元や袖口に隙間が形成され、冷却風が円滑に外部に排出される場合と、襟元や袖口の隙間が塞がれ、冷却風が円滑に外部に排出されない場合がある。使用者は、様々な体勢で作業等をするため、隙間が形成されたり、隙間が塞がれることが繰り返される。
【００３１】
初めに、襟元や袖口に隙間が形成される場合の冷却衣服１の効果について説明する。
使用者が冷却衣服１を着用し、風発生装置２のスイッチ（図示しない）をＯＮにするとモータ１５が駆動し、軸流ファン１６が回転し始め、外部の空気は、図３に示すように、風発生装置２の斜め下方向から空気取込口１１を介して、風発生装置２の内部に取り込まれる（空気の流れＦ）。取り込まれた空気は、軸流ファン１６に沿って移動し、空気送出口１２を介して、風発生装置２の斜め上方向の流路３０に送出される（空気の流れＦ１）。
つまり、外部の空気は、風発生装置２の斜め下方向から空気取込口１１を介して取り込まれ、風発生装置２の上方向に空気送出口１２から身体９に向けて送出される。そのため、流路３０の上方向、つまり襟元や袖口の方向に多量の冷却風が流れる。
この冷却風は、身体９に衝突し、身体９に接しながら上方向に流れ、襟元および袖口から冷却衣服１の外部に流出する（空気の流れＦ２）。
【００３２】
流路３０を流れる冷却風は、身体９と熱交換をし、冷却衣服１の外部に流出されるため、身体９を冷却することができる。この冷却衣服１では、風発生装置２よりも上側に多量の冷却風を送風し、結果として、襟元や袖口に多量の冷却風を流し、外部に排出することができるため、身体９を効率よく冷却することができる。
また、風発生装置２から送出された冷却風は、直接身体９に衝突するため、境界層は形成せず、身体９に直接触れながら流路３０を流れる。空気が直接身体９に触れることで、身体９と熱交換をしやすくなり、身体９を効率よく冷却することができる。
【００３３】
本実施形態に係る冷却衣服１は、襟元や袖口の方向に多量の冷却風を流すことができるため、空気送出口１２からその周方向に均一に冷却風が送出される場合と比べて、風発生装置２よりも下側に滞留する冷却風を減少させることができる。そうすると、冷却衣服１の内部の滞留している冷却風を排出させるための余分な冷却風を送出しなくて済むため、モータ７の負担を低減できる。
また、風発生装置２は、空気取込口１１を冷却衣服１の斜め下方向に向けて取り付けられ、モータ７が作動している間も冷却衣服１の斜め下方向に向いている。したがって、冷却衣服１は、未使用時と使用時によって、外観が変化しないため、意匠性を維持することができる。
さらに、風発生装置２は、冷却衣服１に対し斜め下向きに装着されているため、軸流ファン６の重力と軸流ファン１６が回転したときに生じる推力が、常にモータ７の軸を引き抜く方向に作用する（図２）。そのため、風発生装置２の作動時に、モータ軸の摩擦音やモータ本体が近接する部材に衝突することで生じる衝突音を防止することができる。
【００３４】
本実施形態の風発生装置２は、カバー部２０において、空気を取り込んだ正面の位置に空気送出口１２が形成されているため、カバー部２０に空気送出口１２を設けていない場合と比べて、カバー部２０に衝突する空気の量を減少させることができ、冷却風を流路３０に向けて、円滑に送出することができる。そのため、空気がカバー部２０に衝突することによって生じる風切り音を低減させることができる。
さらに、風発生装置２は、その上端部２５が外側に突出し、かつその下端部２６が冷却衣服１の内側に配置され、冷却衣服１に対して下向きに装着されているため、風発生装置２の重心の位置が冷却衣服１の表面に近づき、風発生装置２が冷却衣服１に対して上方向を向く力が小さくなる。そのため、風発生装置２が、斜め下向きに装着されている状態を確実に維持することができる。
また、空気送出口１２は、空気取込口１１に対向する位置に形成されているため、取り込まれた空気を空気取込口１１から空気送出口１２に一直線に流すことができ、風発生装置２の効率を低下させることなく冷却風を送出できる。
【００３５】
風発生装置２から送出された冷却風の大部分は、高さ方向Ｙに移動し、襟元や袖口から外部に排出される。
高さ方向Ｙに形成されているボックスプリーツ４は、流路３０が加圧状態になっていない場合でも、若干外側に拡がる。
そのため、ボックスプリーツ４よりも下側から送出される冷却風は、ボックスプリーツ４に沿って移動する。そうすると、冷却風は、高さ方向Ｙの上方向に誘導され、円滑に襟元や袖口に移動し、外部に排出される。したがって、高さ方向Ｙにボックスプリーツ４が形成されていることで、効率よく身体９を冷却することができる。
【００３６】
また、ボックスプリーツ４は、生地が折り畳まれた構造を有している。そのため、冷却衣服１は、ボックスプリーツ４を設けないものと比較し、表面積が大きくなる。そうすると、ボックスプリーツ４が外側に拡がっていない状態で、冷却風が流路３０を流れる場合でも、ボックスプリーツ４から冷却衣服１の内部の熱が外部に放出される。
したがって、身体９の熱を、ボックスプリーツ４を介して、冷却衣服１の外部に放出でき、身体９を効率的に冷却できる。
【００３７】
次に、襟元や袖口の隙間が塞がれた場合の冷却衣服１の効果について、図４および図５を参照して、説明する。
図４は、襟元や袖口の隙間が塞がれ、冷却衣服１の流路３０が加圧状態になった場合における、図１中の冷却衣服１の背中ボックスプリーツ４の断面図（Ａ−Ａ断面図）であり、図５は、冷却衣服１の流路３０が加圧状態になった場合における、図１中の冷却衣服１の襟ボックスプリーツ６の断面図（Ｂ−Ｂ断面図）である。なお、図４および図５中の長二点鎖線は、加圧状態になる前の状態をそれぞれ示している。
【００３８】
襟元や袖口の隙間が塞がれた場合、２つの背中ボックスプリーツ５は、図４に示したように、外側に拡がる。そうすると、流路３０が拡がり、領域Ａ１が形成される。さらに、２つの襟ボックスプリーツ６は、図５に示したように、外側に拡がり領域Ａ２が形成される。
そうすると、冷却衣服１において、領域Ａ１や領域Ａ２の分だけ、冷却風が貯留される流路３０の体積が増加する。
そのため、冷却衣服１に領域Ａ１や領域Ａ２が形成されない場合と比べて、冷却衣服１の内部（流路３０）の加圧状態を緩和できるため、流路３０に冷却風を送出する軸流ファン１５を稼働させるモータ１６の負担を軽減できる。風発生装置２には、充電式のものを使用する場合が多いため、モータ１６の浪費を防止することで、領域Ａ１や領域Ａ２が形成されない場合よりも長い時間、風発生装置２を稼働させることができる。
また、モータ１６の負担が軽減されると、モータ１６から発生する熱量が少なくなる。そうすると、風発生装置２から冷却衣服１の内部に送出される冷却風が、モータ１６の周辺を通過するときに、その冷却風の温度が上昇することを防止することができる。
【００３９】
使用者が、例えば、夏の屋外のような、高温環境下で作業する場合、冷却衣服１の生地は、熱を吸収する。
ボックスプリーツ４が拡がることで形成される領域Ａ１や領域Ａ２に滞留した冷却風の中でも、生地の周辺に貯留された冷却風は、生地と熱交換する。
その後、襟元や袖口の隙間が形成され、冷却風が排出されるときに、冷却衣服１の生地の熱が冷却風によって外部に放出され、冷却衣服１の温度を下げることができる。
冷却衣服１の温度が下がると、冷却衣服１の内部の温度が下がり、使用者の身体９の体温の上昇を抑制できる。
【００４０】
また、本実施形態に係る冷却衣服１は、着脱可能な袖部７を備えている。そのため、冷却衣服１を長袖又は半袖として使用できる。
また、冷却衣服１は、両肩部分にパッド８を備えている。そのため、例えば、肩部分に部材を担ぎ作業する場合に、パッド８がクッションの働きをし、部材から肩にかかる負担を軽減できる。
【００４１】
次に、本実施形態の変形例に係る冷却衣服１を、図６〜図８を参照して説明する。
本実施形態の変形例に係る冷却衣服１は、風発生装置２が取付け孔３に回転可能に取り付けられ、風発生装置２を回転させたときに、空気取込口１１を介して取り込まれる空気の方向が変更されると供に、空気送出口１２を介して送風される冷却風の方向が変更される。
変形例に係る冷却衣服１の構成は、風発生装置２の構成以外は同じ構成とし、同じ構成については、説明を省略する。
【００４２】
［変形例１］
本変形例に係る冷却衣服１の風発生装置２は、取付け孔３に装着した後、取付け孔３の周方向に回転させることができる。
風発生装置２を取付け孔３の周方向へ回転させる場合、風発生装置２全体を回転させるため、風発生装置２の上端部２５や空気取込口１１等も所定の方向に回転する。そのため、空気取込口１１を傾斜させる角度を自由に変更することができる。そうすると、空気取込口１１を介して取り込まれる空気の方向が変更されると供に、空気送出口１２を介して送風される冷却風の方向が変更される。
また、身体９の全体をむらなく冷却するには、風発生装置２の取付け孔３に対する回転角度は、０ー〜４５ーとすることが好ましい。
【００４３】
例えば、図６に示すように、各風発生装置２を外側（右側の風発生装置２は右回り、左側の風発生装置２は左回り）に所定の角度だけ回転させ装着させた場合、風発生装置２から送出される冷却風の大部分が、冷却衣服１の脇の下を通過して（空気の流れＦ１）、身体９の表面に回りこみ（空気の流れＦ２）、襟元および袖口から流出される（空気の流れＦ３）。そうすると、身体９全体を包み込むように冷却し、空気の流れＦ３に示すように、襟元から排出されるため、使用者の顔も冷却することができる。
一方、図７に示すように、各風発生装置２を内側（右側の風発生装置２は左回り、左側の風発生装置２は右回り）に所定の角度だけ回転させ装着させた場合、風発生装置２から送出される空気の大部分が背中の中央付近を通過し（空気の流れＦ１）、襟元や袖口から冷却衣服１の外部に流出される（空気の流れＦ２）。そのため、身体９の背中部分が重点的に冷却し、襟元から流出した空気は後頭部を冷却することができる。
また、風発生装置２を回転させ、背中ボックスプリーツ４に向けて、多くの冷却風を送出することで、より円滑に冷却風を外部に排出できる。
このように、送風される空気の方向が変更されると、流路３０の冷却風の流れる方向や流れる経路が変更されるため、冷却風の流れる方向を自在に選択でき、身体９の冷却したい部位を選択的に冷却することができ、さらに身体９を効率的に冷却できる。
【００４４】
［変形例２］
次に、本実施形態の変形例２について説明する。
風発生装置２のフランジ１９と内側ファンガード１４は、図８に示すように、別個の部材で構成され、この内側ファンガード１４の円環部２１の外周は球面を有している。そのため、円環部２１とフランジ１９は、球面で接触し、風発生装置２（空気取込口１１）の下向きの角度を５〜３５°の範囲で任意の角度に設定することができる。さらに、風発生装置２は、上下方向の角度だけでなく、左側または右側にも回転することができる。
風発生装置２を左側または右側に回転させると、空気取込口１１を介して取り込まれる空気の方向が変更されると供に、空気送出口１２を介して送出される冷却風の方向が変更される。そのため、冷却風の流れる方向を自在に選択できる。
したがって、本実施形態の変形例１のように、風発生装置２全体を円周方向に回転させなくとも、身体９の冷却したい部位を選択的に冷却することができる。
【００４５】
以上、本実施形態について説明したが、これ以外にも、本発明の主旨を逸脱しない限り、上記実施の形態で挙げた構成を取捨選択したり、他の構成に適宜変更することが可能である。
本実施形態では、斜め上方向に冷却風を送出する風発生手段２を使用したが、風発生手段を取付け孔３に対して垂直（傾斜角度０ー）に取り付けた場合でも、本実施形態で述べた効果と同様な効果が生じる。
【００４６】
また、本実施形態では、折り畳み部をボックスプリーツとして形成したが、冷却衣服１の内部が加圧されたときに、拡がりの幅を確保でき、冷却風を貯留する領域が形成される形態であれば、ボックスプリーツに限定されず、例えば、サイドプリーツ、シングルプリーツ、ダブルプリーツ、アコーディオンプリーツ、インバーテッドプリーツ、マジョリカを採用することができる。
【００４７】
ボックスプリーツ４を形成する数は、限定されず、冷却風が貯留される体積を確保することができればよい。さらに、ボックスプリーツ４は、幅方向Ｘに設けたり、斜め方向に設けることによっても、冷却風を貯留する体積を確保できる。
【符号の説明】
【００４８】
１      冷却衣服
２      風発生装置（風発生手段）
３      取付け孔
４      ボックスプリーツ（折り畳み部）
５      背中ボックスプリーツ
６      襟ボックスプリーツ
７      袖部
８      パッド
９      身体
１１    空気取込口
１２    空気送出口
１３    外側ファンガード
１４    内側ファンガード
１５    軸流ファン
１６    モータ
１７    キャップ
１８    固定リング
１９    フランジ
２０    カバー部
２１    円環部
２２    上側縫合部
２３    下側縫合部
２４    接続部
２５    上端部
２６    下端部
３０    流路
Ｆ      空気の流れ
Ｆ１〜Ｆ３  空気の流れ
【図１】
2018009264.tif 000004
【図２】
2018009264.tif 000005
【図３】
2018009264.tif 000006
【図４】
2018009264.tif 000007
【図５】
2018009264.tif 000008
【図６】
2018009264.tif 000009
【図７】
2018009264.tif 000010
【図８】
2018009264.tif 000011
【手続補正書】
【提出日】平成28年9月7日(2016.9.7)
【手続補正１】
【補正対象書類名】明細書
【補正対象項目名】０００８
【補正方法】変更
【補正の内容】
【０００８】
本発明の冷却衣服では、空気取込口と、内側に冷却風を送出する空気送出口とを有する風発生手段が、取付け孔に装着される。そして、冷却衣服は、空気送出口から送出された冷却風によって外側に拡がり、かつ風発生手段よりも上側に形成された折り畳み部を備え、風発生手段は取付け孔に対して、斜め下方向に５°〜３５°傾斜して装着され、風発生手段を作動させたときに、風発生手段の斜め下方向から空気取込口を介して空気が取り込まれ、風発生手段の斜め上方向に空気送出口を介して、使用者に向けて冷却風が送出されることを特徴とする。
【手続補正２】
【補正対象書類名】明細書
【補正対象項目名】０００９
【補正方法】削除
【補正の内容】
【手続補正３】
【補正対象書類名】特許請求の範囲
【補正対象項目名】全文
【補正方法】変更
【補正の内容】
【特許請求の範囲】
【請求項１】
空気取込口と、内側に冷却風を送出する空気送出口とを有する風発生手段が、取付け孔に装着される冷却衣服において、
前記空気送出口から送出された冷却風によって外側に拡がり、前記風発生手段よりも上側に形成された折り畳み部を備え、
前記風発生手段は、前記取付け孔に対して、斜め下方向に５°〜３５°傾斜して装着され、
前記風発生手段を作動させたときに、前記風発生手段の斜め下方向から前記空気取込口を介して空気が取り込まれ、前記風発生手段の斜め上方向に前記空気送出口を介して、使用者に向けて冷却風が送出される、
ことを特徴とする冷却衣服。
【請求項２】
前記風発生手段が前記取付け孔に回転可能に取り付けられ、
前記風発生手段を回転させたときに、
前記空気取込口を介して取り込まれる前記空気の方向が変更されると共に、
前記空気送出口を介して送出される前記冷却風の方向が変更される、
ことを特徴とする請求項１に記載の冷却衣服。
【請求項３】
前記折り畳み部が、ボックスプリーツであり、
このボックスプリーツは、着丈方向に形成されている、
ことを特徴とする請求項１又は請求項２に記載の冷却衣服。
【請求項４】
前記風発生手段は、腰部に設けられ、
前記折り畳み部が、少なくとも背中部又は襟部に形成された、
ことを特徴とする請求項１から請求項３の何れか１項に記載の冷却衣服。
【請求項５】
着脱可能な袖部を備える、
ことを特徴とする請求項１から請求項４の何れか１項に記載の冷却衣服。
【請求項６】
両側の肩部分に、パッドが備えられている、
ことを特徴とする請求項１から請求項５の何れか１項に記載の冷却衣服。